(57)【特許請求の範囲】
【請求項１】
患者の検査に関する採血管の識別情報が書き込まれたＲＦＩＤタグを備えた採血管が患者単位で収容された収容容器を所定の位置に置き、収容容器から採血管を取り出して患者の採血を行う採血作業場において用いられる採血管管理システムであって、
所定の位置に置かれた収容容器に収容された全ての採血管のＲＦＩＤタグから識別情報を一括して読み取る読取装置と、
前記読取装置で読み取った識別情報を入力して、読み取った識別情報に対応する医師からの患者の採血に関するオーダ情報と、読み取った識別情報とを照合する制御装置と、
採血作業者に対して情報を音声・画像及び／又は文字で出力する出力手段と
を備え、
前記読取装置が、採血作業の間、前記収容容器に収容された全ての採血管のＲＦＩＤタグから識別情報を一括して繰り返し読み取って、読取結果を制御装置に送るように動作し、
前記制御装置が、前後の読取結果を比較することにより、収容容器から取り出された採血管を検知するように構成され、かつ、
前記制御装置が、収容容器から採血管が取り出されたことを検知した時に、前記出力手段を介して音声・画像及び／又は文字で、採血作業者に対して検知結果を取出検知情報及び／又は取出検知音として出力するように構成されている
ことを特徴とする採血管管理システム。
【請求項２】
前記取出検知情報及び／又は取出検知音が、取り出された採血管の種類を含む
ことを特徴とする請求項１に記載の採血管管理システム。
【請求項３】
前記オーダ情報が、トレイに収容された採血管を使用する順番に関する採血順番情報を有し、収容容器から取り出された採血管を検知した時に、検知した採血管が前記採血順番情報の順番に合致しているか否かを照合し、その照合結果を、前記出力装置を介して音声・画像及び／又は文字で出力する
ことを特徴とする請求項１又は２に記載の採血管管理システム。
【請求項４】
記憶手段を備え、
前記制御装置が、収容容器から採血管を取り出した順番を前記記憶手段に記憶させる
ことを特徴とする請求項１〜３の何れか一項に記載の採血管管理システム。
【発明の詳細な説明】
【技術分野】
【０００１】
本発明は、ＲＦＩＤタグを備えた採血管を管理する採血管管理システムに関し、特に、採血管自動準備システムにおいて患者毎に準備されたＲＦＩＤタグを備えた採血管を管理するための管理システムに関する。
【背景技術】
【０００２】
採血管自動準備システムで、バーコードが印字されたラベルを採血管に貼り付け、ラベル貼り付け後の採血管を患者毎にトレイに収容することは行われている。
【０００３】
このようにして準備された採血管入りのトレイは、搬送コンベア又は作業者により採血台に運ばれる。そして、採血作業者はトレイを採血台の所定の位置に置き、トレイから採血管を一本ずつ取り出して採血を行う。一つのトレイには患者一人分の採血管が収容されているため、採血作業者は、トレイに入っている全ての採血管を使って一人の患者から採血を行うことになる。
【０００４】
採血管自動準備システムで準備をしているとはいえ、トレイの中に入っている採血管の数が足らなかったり、他の患者の採血管がトレイに入っていたりする可能性を完全に排除することはできないので、採血作業者は、採血を始める前に、トレイの中に入っている採血管が、患者の検査に必要な採血管であるか否かを確認する。
【０００５】
具体的には、採血作業者は、例えば、下記の方法でトレイの中に入っている採血管の確認を行う。
１．カルテや採血指示書等に記載されている採血管とトレイに入っている採血管とを目視確認により照合する。
２．採血指示書等に印字されたバーコードに基づいて医師からの患者の採血に関するオーダ情報をホストコンピュータ等から端末コンピュータに読み出し、トレイの中に収容されている採血管を一本ずつバーコードリーダにかざして、各採血管のバーコードを読み取らせ、読み取ったバーコードとオーダ情報とを照合する。
【０００６】
上記した方法１は、目視確認により照合を行わなければならないので採血作業者に負担をかけ、かつ、間違える可能性があるという問題があり、方法２は、採血管を一本ずつバーコードリーダにかざさなければならないので面倒であり採血作業者に負担をかけるという問題がある。
【０００７】
【特許文献１】特開２００４−３４７３７６公報
【発明の開示】
【発明が解決しようとする課題】
【０００８】
出願人は、ＲＦＩＤタグ付きラベルに検体番号等の検査情報を書き込み、情報書き込み後のＲＦＩＤタグ付きラベルを採血管に貼り付け、ラベル貼り付け後の採血管を患者単位でトレイに収容するように構成した採血管自動準備システムを提案している（特許文献１）。
このように検体番号等を書き込んだＲＦＩＤタグ付きラベルを採血管に貼り付けることにより、採血場所でトレイに収容された採血管のＲＦＩＤタグから、読取装置を用いて検体番号等の検査情報を一括で読み取って照合することが可能になる。
【０００９】
しかし、トレイに収容された採血管は、規則正しく同じ向きに並んでいるとは限らず、トレイに収容されている採血管の状態によっては全ての採血管のＲＦＩＤタグの情報を一括して読み取れない場合もある。
例えば、患者の採血に必要な採血管が３本であり、トレイの中に正しい３本の採血管が入っているにもかかわらず、読取装置による読取時に２本の採血管のＲＦＩＤタグからしか情報が読み取れないような場合には、照合をした時に読取エラーを発見することができる。
しかし、例えば、患者の採血に必要な採血管が３本であり、トレイの中には正しい３本の採血管に加えて、不必要な採血管が混入していた場合には問題が生じる可能性がある。このような場合に、もし、読取装置が必要な３本の採血管のＲＦＩＤラグだけから情報を読み取って、読取エラー又はＲＦＩＤタグの不具合により不必要な採血管のＲＦＤＩタグからの情報が読み取れなかった場合には、照合の結果は一致するので不必要な採血管が混入しているにも拘わらず、問題のないトレイとして取り扱ってしまう可能性がある。
また、トレイの中に入れられている採血管は、使用する順番が決まっており、順番を守らずに採血をすると検査結果に影響を及ぼす可能性もあるが、現状では、採血作業者が順番を守って採血管を使用しているか否かを確認することはできないという問題もある。
本発明は、上記した従来の問題点に鑑みて、採血作業場においてトレイに収容された採血管を正確に管理することができる採血管管理システムを提供することを目的としている。
【課題を解決するための手段】
【００１０】
本発明に係る採血管管理システムは、患者の検査に関する採血管の識別情報が書き込まれたＲＦＩＤタグを備えた採血管が患者単位で収容された収容容器を所定の位置に置き、収容容器から採血管を取り出して患者の採血を行う採血作業場において用いられる採血管管理システムであって、所定の位置に置かれた収容容器に収容された全ての採血管のＲＦＩＤタグから識別情報を一括して読み取る読取装置と、前記読取装置で読み取った識別情報を入力して、読み取った識別情報に対応する医師からの患者の採血に関するオーダ情報と、読み取った識別情報とを照合する制御装置と、採血作業者に対して情報を音声・画像及び／又は文字で出力する出力手段とを備え、前記読取装置が、採血作業の間、前記収容容器に収容された全ての採血管のＲＦＩＤタグから識別情報を一括して繰り返し読み取って、読取結果を制御装置に送るように動作し、前記制御装置が、前後の読取結果を比較することにより、収容容器から取り出された採血管を検知するように構成され、かつ、前記制御装置が、収容容器から採血管が取り出されたことを検知した時に、前記出力手段を介して音声・画像及び／又は文字で、採血作業者に対して検知結果を取出検知情報及び／又は取出検知音として出力するように構成されていることを特徴とする。
好ましくは、前記取出検知情報及び／又は取出検知音は、取り出された採血管の種類を含むことができる。
また、必要に応じて、前記オーダ情報に含まれている採血順番情報を使用して、収容容器から取り出された採血管を検知した時に、検知した採血管が前記採血順番情報の順番に合致しているか否かを照合し、その照合結果を、前記出力装置を介して音声・画像及び／又は文字で出力するように構成してもよい。
さらにまた、本発明に係る採血管管理システムは、記憶手段を有し得、前記制御装置は、収容容器から採血管を取り出した順番を前記記憶手段に記憶させるように構成され得る。
【発明の効果】
【００１１】
本発明に係る採血管管理システムは、患者の検査に関する採血管の識別情報が書き込まれたＲＦＩＤタグを備えた採血管が患者単位で収容された収容容器を所定の位置に置き、収容容器から採血管を取り出して患者の採血を行う採血作業場において用いられる採血管管理システムであって、所定の位置に置かれた収容容器に収容された全ての採血管のＲＦＩＤタグから識別情報を一括して読み取る読取装置と、前記読取装置で読み取った識別情報を入力して、読み取った識別情報に対応する医師からの患者の採血に関するオーダ情報と、読み取った識別情報とを照合する制御装置と、採血作業者に対して情報を音声・画像及び／又は文字で出力する出力手段とを備え、前記読取装置が、採血作業の間、前記収容容器に収容された全ての採血管のＲＦＩＤタグから識別情報を一括して繰り返し読み取って、読取結果を制御装置に送るように動作し、前記制御装置が、前後の読取結果を比較することにより、収容容器から取り出された採血管を検知するように構成され、かつ、前記制御装置が、収容容器から採血管が取り出されたことを検知した時に、前記出力手段を介して音声・画像及び／又は文字で、採血作業者に対して検知結果を取出検知情報及び／又は取出検知音として出力するように構成されているので、収容容器内の採血管の状況をリアルタイムで把握することが可能になる。それにより、照合結果が一致しているにもかかわらず、読取エラー等によって認識することができない採血管がトレイ内にあったとしても、それ以外の採血管を認識していることを使用者に表示することで、認識できていない採血管があることを採血作業者に知らせることが可能になる。
また、前記オーダ情報が、トレイに収容された採血管を使用する順番に関する採血順番情報を有し、収容容器から取り出された採血管を検知した時に、検知した採血管が前記採血順番情報の順番に合致しているか否かを照合し、その照合結果を、前記出力装置を介して音声・画像及び／又は文字で出力するように構成することで、採血の順番を管理することも可能になる。
【図面の簡単な説明】
【００１２】
【図１】採血管管理システムの一実施例の構成を示す概略正面図である。
【図２】採血管管理システムの一実施例の構成を示す概略上面図である。
【図３】採血に用いられるトレイＴの一例を示す図である。
【図４】（ａ）及び（ｂ）は、「取出検知情報」の表示例を示す図である。
【図５】「取出検知情報」の表示例を示す図である。
【図６】採血管管理システムの動作の流れの一例を示すフローチャートである。
【発明を実施するための形態】
【００１３】
以下、添付図面を参照して本発明に係る採血管管理システムの実施の形態を説明していく。
尚、この明細書において、「オーダ情報」は、「医師からの患者の採血に関するオーダ情報」を意味し、該「オーダ情報」には、「患者情報（患者ＩＤ等）」及び「患者の採血に関する採血情報」が含まれている。
また、「患者の採血に関する採血情報」には、「患者の検査に関する採血管の識別情報（採血管毎に割り当てられた検体番号等）」及び「採血管を使用する順番に関する採血順番情報」が含まれている。
【００１４】
図１及び図２は、採血管管理システムの一実施例の構成を示す概略構成図である。
図中符号１は採血台を示しており、採血時には、この採血台１を挟んで採血作業者及び患者が向き合って座り、採血台１の上に患者の腕を置いて採血を行う。
採血台１の天板１ａの裏面には、ＲＦＩＤタグ用の読取装置２が設けられており、採血作業者は採血時に、この読取装置２に対応する位置に患者単位で採血管を収容したトレイＴを置いて採血を行う。
好ましくは、採血作業板１ａにおける読取装置２に対応する位置には、トレイＴを置くための目印が設けられ得る。
図１中、符号３は前記読取装置２に接続された制御装置を、符号４は制御装置３に接続されたモニタを各々示している。
前記制御装置３及びモニタ４は、パーソナルコンピュータで構成することができ、制御装置３に対する入力インターフェイスとして不図示のキーボードやマウスを用いることができる。また、タッチパネル式のモニタ４を使用することでモニタ４を入力インターフェイスとして用いることも可能である。
この実施例では制御装置３は、オーダ情報を記憶したホストコンピュータ５に接続されている。
【００１５】
図３は、採血に用いられるトレイＴを示している。
トレイＴには、採血に必要な採血管が患者単位で収容されている。各採血管には、ＲＦＩＤタグ付きラベルが貼り付けられており、ＲＦＩＤタグには、少なくとも検体番号等の患者の検査に関する採血管の識別情報が書き込まれている。以下の説明では、ＲＦＩＤタグに書き込まれている情報は検体番号として説明していく。
また、ラベルの表面には患者の氏名や患者ＩＤ等が印字されており、必要に応じてバーコードが印字され得る。尚、ＲＦＩＤタグは、図面に示すように、ＲＦＩＤタグ付きラベルで構成されていてもよいが、採血管本体や採血管のキャップに内蔵されていてもよい。
【００１６】
制御装置３は、読取装置２でＲＦＩＤタグから読み取ったトレイＴの内部にある採血管の検体情報に基づいて、ホストコンピュータ５からオーダ情報を読み出し、読み取った検体情報とオーダ情報と照合する。照合の結果、読み取った検体情報がオーダ情報に合致している場合、その後も読取装置２による検体情報の読み取りを継続し、最新の検体情報と直前に読み取った検体情報とを比較することにより、トレイＴ内に入っている採血管の状態を監視する。採血作業者がトレイＴ内から採血のために採血管を取り出すと、最新の検体情報が直前に読み取った検体情報と合致しなくなるので、その不一致情報に基づいて取り出された採血管を検出し、モニタ４を介して（及び／又は必要に応じて不図示のスピーカを介して）「採血管が取り出されたこと」を取出検知情報として採血作業者に表示する（及び／又は取出検知音を出力する）。採血作業者は自分がトレイＴから採血管を取り出した時に、モニタ４に取出検知情報が表示されているか否か（及び／又はスピーカから取出検知音が出力されたか否か）を確認することで、制御装置３が、取り出した採血管を認識していることを確認することができる。これにより、例えば、間違った採血管（エラー採血管）がトレイに混入しており、かつ、読取装置２による読取エラーやＲＦＩＤタグの不具合によって、そのエラー採血管から検体番号を読み取ることができなかった場合であっても、採血作業者がそのエラー採血管をトレイＴから取り出した時に、取出検知情報及び／又は取出検知音が出力されなければ、採血作業者は、その採血管に何らかの問題があることを認識することが可能になる。
また、制御装置２は、単に、取出検知情報及び／又は取出検知音を出力するだけでなく、オーダ情報に含まれている採血順番情報に基づいて、取り出された採血管が採血の順番に合致しているか否かの判定を行い、順番が間違っている場合には、そのことを採血作業者に表示することもできる。
取出検知情報及び／又は取出検知音は、様々な形態で出力することが考えられる。
具体的には、例えば、単にモニタに「採血管が取り出されました」と表示したり（図４ａ）、一定のブザー音を出力するだけでもよいが、「採血管Ａが取り出されました」のように取り出された採血管の種類を表示してもよく（図４ｂ）、さらにまた、照合後に、トレイに収容されている全ての採血管を、採血する順番と共に画像（又は文字）で表示し（図５ａ）、採血管が取り出される毎に、取り出された採血管の画像（又は文字）を消していくようにしてもよい（図５ｂ）。
【００１７】
以下、上記したように構成された採血管管理システムの動作の流れの一例を、図６に示すフローチャートに基づいて説明していく。
採血作業者が、トレイＴを採血台１の所定の位置（即ち、読取装置２に対応する位置）に置くと、読取装置２がトレイＴに収容された全ての採血管のＲＦＩＤタグから検体番号を読み取る（ステップ１）。
読取装置２で読み取られた検体番号は制御装置３に送られ、制御装置３は読取装置２で読み取られた検体番号に基づいて、ホストコンピュータ５から対応するオーダ情報を読み込む（ステップ２）。
制御装置３は、読取装置２で読み取った検体番号とオーダ情報とを照合し（ステップ３）、照合の結果、読み取った検体番号とオーダ情報とが一致していない場合にはモニタ４及び／又はスピーカ（図示せず）からエラー出力をする。尚、読み取った検体番号とオーダ情報とが一致していないケースは、トレイＴに間違った採血管が収容されていることによる不一致（原因１）と、読み取った検体番号の数と、オーダ情報に含まれている検体情報の数とが一致しないことによる不一致（原因２）との二通りの原因が考えられる。そして、後者（原因２）の場合、さらに、読み取った検体番号の数が、オーダ情報に含まれている検体情報の数より少ない場合（原因２−１）と、読み取った検知番号の数が、オーダ情報に含まれている検体情報の数より多い場合（原因２−２）とが考えられる。そして、原因２−１による不一致の場合には、読取装置２による読取エラーが生じている可能性がある。このように、照合不一致の場合には、読取装置２による読取エラーが原因である可能性が含まれているので、必要に応じて制御装置３は、ステップ３において、照合不一致の場合、トレイＴを揺らす等して、トレイＴ内にある採血管を動かすようモニタ４に表示して、再度、ステップ１〜ステップ３の処理を行うように構成してもよい。また、制御装置３は、照合不一致の原因が原因２−１である場合にのみ、トレイＴを揺らす等して、トレイＴ内にある採血管を動かすようモニタ４に表示して、再度、ステップ１〜ステップ３の処理を行うように構成してもよい。
ステップ３において読み取った検体番号とオーダ情報とが一致している場合には、制御装置３は、読取装置２による次の読取結果を入力し（ステップ４）、前回の読取結果と今回の読取結果とを比較する（ステップ５）。尚、ステップ３の照合結果に拘わらず、読取装置２にトレイＴの検知番号の読み取りを繰り返し行わせ、制御装置３に読み取り結果を経時的に入力するように構成してもよく、この場合にはステップ４の処理は省略される。また、ステップ５における読取結果の比較は、最新の読取結果と、その直前の読取結果とを比較してもよいが、比較する対象は、直前の読取結果に限定されることなく、トレイ内から採血管が取り出されたことが検知できる時間間隔であれば、それより前の読取結果と比較をしてもよい。
ステップ５において、前回の読取結果と今回の読取結果と同じ場合には、ステップ４の処理に戻り、再び、新しい読取結果を入力し、新しい読取結果より前の読取結果と比較する。ステップ４及び５の処理は、比較結果に変化が生じるまで繰り返し行われる。
ステップ５において、今回の読取結果が前回の読取結果と異なる場合には、その差分に基づいて取り出された採血管を検出する（ステップ６）。
次いで、オーダ情報に基づいて、取り出された採血管が採血の順番に合致しているか否かを判定し（ステップ７）、取り出された採血管が採血の順番に合致していない場合にはモニタ４及び／又はスピーカ（図示せず）を介してエラー出力をする。この場合のエラーは、作業者が採血管をトレイＴに戻すことにより、又は、適当な入力インターフェイス（キーボードやタッチパネル）を介してエラー解除情報を入力することにより解除可能に構成され、エラーが解除された場合には再びステップ４の処理から処理を継続するように構成され得る。
ステップ７において、取り出された採血管が採血の順番に合致している場合には、取出検知情報及び／又は取出検知音をモニタ４及び／又はスピーカ（図示せず）を介して出力する（ステップ８）。
制御装置３は、次いで、トレイＴ内に残っている採血管の本数が０本か否かを判断し（ステップ９）、残りの採血管の本数が０本の場合には処理を終了し、残りの採血管の本数が０本ではない場合には再びステップ４の処理に戻る。
【００１８】
図６に示した実施例では、ステップ７において、オーダ情報に基づいて、トレイＴから取り出された採血管が採血の順番に合致しているか否かを判断しているが、この処理は必須ではなく、必要がなければ省略することができる。
また、制御装置３は、好ましくは、各トレイにおいて採血管が取り出された順番を適当な記憶手段に記憶しておくこともできる。
図６に示すフローチャートは、処理の一例を示すものであり、処理の流れは図６に限定されることなく、任意に決めることができる。
【符号の説明】
【００１９】
Ｔ  トレイ
１  採血台
１ａ  天板
２  読取装置
３  制御装置
４  モニタ
５  ホストコンピュータ
【図１】
0005793347.tif 000002
【図２】
0005793347.tif 000003
【図３】
0005793347.tif 000004
【図４】
0005793347.tif 000005
【図５】
0005793347.tif 000006
【図６】
0005793347.tif 000007